(57)【要約】【課題】簡単な構成でフェードアウト機能、フェードイン機能を実現し、本体コストを安価にした映像出力装置を提供する。【解決手段】映像出力装置１は、再生信号処理部４から出力されたコンポジット信号に対して、このコンポジット信号に含まれている同期信号のレベルを徐々に上げていく。このとき、このコンポジット信号に含まれている同期信号以外の輝度信号のレベルについては変化させない。したがって、同期信号のレベルに対して、輝度信号のレベルが徐々に低くなっていくコンポジット信号が出力されるので、出力端子７に接続された装置ではＡＧＣ機能により輝度のレベルが段階的に下がっていく映像のコンポジット信号を生成する。これにより、フェードアウトされた映像の記録や表示が行える。【選択図】図１
2004228998.tif 000002
【特許請求の範囲】
【請求項１】
映像信号を、同期信号を含むコンポジット信号で出力する映像出力装置において、
上記コンポジット信号に含まれている上記同期信号のレベルを調整するレベル調整手段を備え、
上記レベル調整手段は、本体に対して第１の入力があったときに、出力する上記コンポジット信号に含まれている上記同期信号のレベルを、設定されているフェードアウト時間に応じて徐々に上げていき、
また、本体に対して第２の入力があったときに、出力する上記コンポジット信号に含まれている上記同期信号のレベルを、設定されているフェードイン時間に応じて徐々に下げていき、
上記フェードアウト時間の設定変更を受け付け、該フェードアウト時間を更新するフェードアウト時間更新手段と、
上記フェードイン時間の設定変更を受け付け、該フェードイン時間を更新するフェードイン時間更新手段と、を備えた映像出力装置。
【請求項２】
映像信号を、同期信号を含むコンポジット信号で出力する映像出力装置において、
出力する上記コンポジット信号に含まれている上記同期信号のレベルを調整するレベル調整手段を備え、
上記レベル調整手段は、本体に対して第１の入力があったときに、出力する上記コンポジット信号に含まれている上記同期信号のレベルを徐々に上げていく映像出力装置。
【請求項３】
上記レベル調整手段は、設定されているフェードアウト時間に応じて、上記コンポジット信号に含まれている上記同期信号のレベルを徐々に上げていく請求項２に記載の映像出力装置。
【請求項４】
上記フェードアウト時間の設定変更を受け付け、該フェードアウト時間を更新するフェードアウト時間更新手段を備えた請求項３に記載の映像出力装置。
【請求項５】
映像信号を、同期信号を含むコンポジット信号で出力する映像出力装置において、
出力する上記コンポジット信号に含まれている上記同期信号のレベルを調整するレベル調整手段を備え、
上記レベル調整手段は、本体に対して第２の入力があったときに、出力する上記コンポジット信号に含まれている上記同期信号のレベルを徐々に下げていく映像出力装置。
【請求項６】
上記レベル調整手段は、設定されているフェードイン時間に応じて、上記コンポジット信号に含まれている上記同期信号のレベルを徐々に下げていく請求項５に記載の映像出力装置。
【請求項７】
上記フェードイン時間の設定変更を受け付け、該フェードイン時間を更新するフェードイン時間更新手段を備えた請求項６に記載の映像出力装置。
【発明の詳細な説明】
【０００１】
【発明の属する技術分野】
この発明は、映像信号をコンポジット信号で出力する映像出力装置に関し、特に編集時に利用されるフェードアウト機能、フェードイン機能を有する映像出力装置に関する。
【０００２】
【従来の技術】
従来、映像の編集において、フェードアウトやフェードインが利用されている。フェードアウトとは第１の映像に第２の映像をつなぎ合わせるときに現在記録している第１の映像の輝度を徐々に下げていく処理であり。フェードインとは第１の映像にかえて第２の映像の記録を開始するときに、第２の映像の輝度を徐々に上げていく機能である。
【０００３】
なお、フェードアウトでは適正な輝度から徐々に輝度を下げていき、フェードインではある程度低い輝度から適正な輝度まで徐々に輝度を上げていく。
【０００４】
上記フェードアウト、フェードインを利用することにより、第１の画像と第２の画像とのつなぎ目における映像の乱れが抑えられるとともに、視聴しているユーザに違和感を与えない映像の編集が行える。
【０００５】
上記フェードアウト機能、フェードイン機能を有する装置としては、例えば特許文献１、２に記載されている。
【０００６】
【特許文献１】
特開平５−１４５８８５号公報
【特許文献２】
特開平１−２２９５７４号公報
【０００７】
【発明が解決しようとする課題】
しかしながら、従来の装置は、元の映像（適正な輝度の映像）に対して、複雑な演算処理を行って、輝度が徐々に下がっていく映像信号（フェードアウトさせる映像信号）を生成し、出力している。同様に、元の映像に対して、複雑な演算処理を行って、輝度が輝度が上がっていく映像信号（フェードインさせる映像信号）を生成し、出力している。このため、従来の装置には、フェードアウト、またはフェードインさせる映像の映像信号を生成するために、ある程度の処理能力を有する高価な演算処理部（ＣＰＵ）が必要であり、装置本体のコストが高いという問題があった。
【０００８】
なお、処理能力の低い演算処理部を用いると、フェードアウト、またはフェードインさせる映像の映像信号の生成にかかる時間が長くなり、映像信号の出力に時間的な遅れが生じ、第１の映像と第２の映像とのつなぎ目における映像の乱れが大きくなる。
【０００９】
この発明の目的は、簡単な構成でフェードアウト機能、フェードイン機能を実現し、本体コストを安価にした映像出力装置を提供することにある。
【００１０】
【課題を解決するための手段】
この発明の映像出力装置は、上記課題を解決するために以下の構成を備えている。
【００１１】
（１）映像信号を、同期信号を含むコンポジット信号で出力する映像出力装置において、
出力する上記コンポジット信号に含まれている上記同期信号のレベルを調整するレベル調整手段を備え、
上記レベル調整手段は、本体に対して第１の入力があったときに、出力する上記コンポジット信号に含まれている上記同期信号のレベルを徐々に上げていく。
【００１２】
この構成では、本体から出力される映像信号が、同期信号を含むコンポジット信号である。コンポジット信号には、周知のように上記同期信号だけでなく、輝度信号も含まれている。レベル調整手段が、本体に対して第１の入力（フェードアウト開始の入力）があると、出力するコンポジット信号に含まれている上記同期信号のレベルを徐々に上げていく。
【００１３】
入力された映像信号を記録する一般的な記録装置や、入力された映像信号に基く映像を表示する一般的な表示装置には、ＡＧＣ（Ａｕｔｏ  Ｇａｉｎ  Ｃｏｎｔｒｏｌ）機能が設けられている。ＡＧＣ機能は、入力されたコンポジット信号に含まれている同期信号、輝度信号の比率を変化させないで、このコンポジット信号に含まれている同期信号の振幅（レベル）を予め定められた大きさに調整する機能である。
【００１４】
このため、本体から出力するコンポジット信号に含まれる輝度信号のレベルについては変化させないで、同期信号のレベルのみを徐々に上げていくと、このコンポジット信号を入力した装置では、ＡＧＣ機能がコンポジット信号に含まれている同期信号のレベルを予め定められたレベルに調整するため、調整されたコンポジット信号による映像の輝度が徐々に下がっていく。したがって、本体から出力されたコンポジット信号が入力された装置において、輝度が徐々に下がっていく、フェードアウトされる映像のコンポジット信号が生成される。
【００１５】
このように、出力するコンポジット信号に含まれている同期信号のレベルを徐々に上げていくという、比較的簡単な構成でフェードアウト機能を実現することができ、本体のコストを安価にできる。特に、ＯＳＤ（Ｏｎ  Ｓｃｒｅｅｎ  Ｄｉｓｐｌａｙ）機能を有する装置の場合、本体から出力する映像に、本体の設定メニュ−画面等を重ね合わせた合成映像の映像信号（コンポジット信号）を生成するための構成が設けられているので、この構成で上記コンポジット信号に含まれている同期信号のレベルを徐々に上げていく処理が行える。したがって、既存の構成を利用でき、装置本体のコストを一層抑えられる。
【００１６】
（２）上記レベル調整手段は、設定されているフェードアウト時間に応じて、上記コンポジット信号に含まれている上記同期信号のレベルを徐々に上げていく。
【００１７】
この構成では、フェードアウト時間に応じて映像の輝度を徐々に下げることができる。
【００１８】
フェードアウト時間とは、適正な輝度レベルから、予め定められた輝度レベルまで下げるのに要する時間であり、フェードアウト時間を長くすることにより、映像における輝度の変化を緩やかにできる。
【００１９】
（３）上記フェードアウト時間の設定変更を受け付け、該フェードアウト時間を更新するフェードアウト時間更新手段を備えている。
【００２０】
この構成では、フェードアウト時間の設定変更が行えるので、ユーザが自分の好みに応じて、フェードアウト時間を調整しながら映像の編集が行える。
【００２１】
（４）映像信号を、同期信号を含むコンポジット信号で出力する映像出力装置において、
出力する上記コンポジット信号に含まれている上記同期信号のレベルを調整するレベル調整手段を備え、
上記レベル調整手段は、本体に対して第２の入力があったときに、出力する上記コンポジット信号に含まれている上記同期信号のレベルを徐々に下げていく。
【００２２】
この構成では、上記（１）と逆の動作を行うことで（徐々にコンポジット信号に含まれている同期信号のレベルを下げていくことにより）、フェードイン機能が実現できる。
【００２３】
（５）上記レベル調整手段は、設定されているフェードイン時間に応じて、上記コンポジット信号に含まれている上記同期信号のレベルを徐々に下げていく。
【００２４】
この構成では、フェードイン時間に応じて映像の輝度を徐々に上げることができる。
【００２５】
フェードイン時間とは、予め定められた輝度レベルから、適正な輝度レベルまで上げるのに要する時間であり、フェードイン時間を長くすることにより、映像における輝度の変化を緩やかにできる。
【００２６】
（６）上記フェードイン時間の設定変更を受け付け、該フェードイン時間を更新するフェードイン時間更新手段を備えている。
【００２７】
この構成では、フェードイン時間の設定変更が行えるので、ユーザが自分の好みに応じて、フェードイン時間を調整しながら映像の編集が行える。
【００２８】
【発明の実施の形態】
以下、この発明の実施形態である映像出力装置について詳細に説明する。
【００２９】
図１は、この発明の実施形態である映像出力装置の構成を示すブロック図である。この実施形態の映像出力装置１は、本体の動作を制御する制御部２と、本体にセットされたビデオテープ、ＤＶＤ等の記録媒体に記録されている映像信号、および音声信号を読み取る読取部３と、読取部３が記録媒体から読み取った信号を処理した映像信号（ＶＩＤＥＯ信号）およびこの映像信号の同期信号（ＳＹＮＣ信号）を出力する再生映像信号処理部４と、再生映像信号処理部４から出力された映像信号、および同期信号を用いて該映像信号を処理する出力映像信号処理部５と、装置本体に対してユーザが入力操作を行う操作部６と、を備えている
また、７は映像信号を出力する出力端子である。この出力端子７には、入力された映像信号を記録する記録装置や、入力された映像信号に基く映像を表示する表示装置が接続される。
【００３０】
読取部３は、本体にセットされた記録媒体に記録されている映像信号や音声信号を読み取るための構成を有する。例えば、ビデオテープに記録されている映像信号や音声信号を読み取るための磁気ヘッドや、ＤＶＤに記録されている映像信号や音声信号を読み取るためのピックアップヘッドを有する。
【００３１】
再生映像信号処理部４から出力される映像信号は、同期信号、輝度信号を含むコンポジット信号である。再生映像信号処理部４は、コンポジット信号とは別に同期信号を出力する。出力映像信号処理部５から出力される映像信号も、上記コンポジット信号である。コンポジット信号は、周知のように上記同期信号だけでなく、輝度信号等も含んだ信号である。出力映像信号処理部５は、再生映像信号処理部４から入力されたコンポジット信号に対して、このコンポジット信号に含まれている同期信号のレベルを調整したり、設定メニュ画面の映像を重ね合わせた合成映像（ＯＳＤ映像）のコンポジット信号を生成する。出力映像信号処理部５は、再生映像信号処理部４から入力されたコンポジット信号に対して、これらの処理を行う際に再生映像信号処理部４から出力された同期信号を利用する。出力映像信号処理部５は、コンポジット信号を出力端子７へ出力する。操作部６には、本体に対して入力操作を行う複数のキーや、図示していないリモコン装置から送信されてきた制御コマンドを受信する受信部が設けられている。
【００３２】
なお、以下の説明において、読取部３が本体にセットされた記録媒体から読み取った音声信号の処理については、ここでは説明を省略する。
【００３３】
また、この実施形態の映像出力装置１は、操作部７にフェードアウトの開始を入力するフェードアウト開始キー、フェードインの開始を入力するフェードイン開始キーが設けられている。また、フェードアウト開始キー、フェードイン開始キーは、図示していないリモコン装置にも設けられている。
【００３４】
また、制御部２はフェードアウト時間、およびフェードイン時間をメモリ（不図示）に記憶している。このメモリに記憶しているフェードアウト時間、およびフェードイン時間については、それぞれ操作部６における所定の入力操作（リモコン装置における入力操作を含む）により、ユーザが自由に設定（変更）できる。
【００３５】
以下、この発明の実施形態である映像出力装置１の動作について説明する。
【００３６】
まず、最初にフェードアウト時間、およびフェードイン時間の変更処理について説明する。図２は、フェードアウト時間、およびフェードイン時間の変更処理を示すフローチャートである。
映像出力装置１は、操作部６においてフェードアウト時間の変更入力があると（ｓ１）、フェードアウト時間の入力を受け付け（ｓ２）、制御部２に設けられているメモリに記憶しているフェードアウト時間をｓ２で受け付けたフェードアウト時間に更新する（ｓ３）。また、操作部６においてフェードイン時間の変更入力があると（ｓ４）、フェードイン時間の入力を受け付け（ｓ５）、制御部２に設けられているメモリに記憶しているフェードイン時間をｓ５で受け付けたフェードイン時間に更新する（ｓ６）。
【００３７】
このように、メモリに記憶しているフェードアウト時間、およびフェードイン時間については、ユーザが自由に変更できる。
【００３８】
なお、フェードアウト時間、フェードイン時間の変更操作は、操作部６に設けられたキー操作だけでなく、図示していないリモコン装置の操作でも行える。また、映像出力装置１は、フェードアウト時間、またはフェードイン時間の変更以外の入力があったときには、この入力に応じた処理（その他の処理）を実行する（ｓ７）。このその他の処理には、以下に示すフェードアウト処理や、フェードイン処理が含まれている。
【００３９】
次に、この実施形態の映像出力装置１におけるフェードアウト処理について説明する。図３は、フェードアウト処理を示すフローチャートである。
【００４０】
映像出力装置１は、操作部６またはリモコンに設けられたフェードアウト開始キーが操作されたとき（フェードアウト開始の入力があると）、このフェードアウト処理を開始する。このフェードアウト開始の入力がこの発明で言う第１の入力である。映像出力装置１は、まず制御部２に設けられているメモリに記憶しているフェードアウト時間を読み出す（ｓ１１）。フェードアウト時間は、上述のようにユーザが自由に設定できる。
【００４１】
映像出力装置１は、ｓ１１でメモリから読み出したフェードアウト時間から、同期信号のレベル勾配を算出する（ｓ１２）。映像出力装置１は、同期信号の適正なレベルａ（以下適正レベルａと言う。）、およびフェードアウト処理時、および後述するフェードイン処理時における同期信号の最大レベルｂをメモリに記憶している。通常の再生時、出力端子７から出力されているコンポジット信号に含まれている同期信号のレベルは、適正レベルａである。ｓ１２では、
レベル勾配＝（最大レベルｂ−適正レベルａ）／フェードアウト時間
により、同期信号のレベル勾配を算出する。図４に示すように、フェードアウト時間が長くなるほど、レベル勾配が小さくなる。
【００４２】
映像出力装置１は、ｓ１２で上記レベル勾配を算出すると、予め設定されているステップ時間ｔに対する、同期信号のレベルの上げ幅を算出する（ｓ１３）。このステップ時間ｔは、出力端子７から出力するコンポジット信号に含まれている同期信号のレベルを変化させる時間であり、予め設定されている。ｓ１３では、
同期信号のレベルの上げ幅＝ステップ時間ｔ×レベル勾配
により、同期信号のレベルの上げ幅を算出する。
【００４３】
映像出力装置１は、出力端子７から出力するコンポジット信号について、このコンポジット信号に含まれている同期信号のレベルを、ステップ時間ｔ毎にｓ１３で算出した同期信号のレベルの上げ幅ずつ大きくしていく（ｓ１４〜ｓ１６）（図５参照）。読取部３、および再生映像信号処理部４は、フェードアウト開始キーが操作される前後において、その処理に変化はなく、出力映像信号処理部５が出力端子７から出力するコンポジット信号について同期信号のレベルを上げる処理を実行する。具体的には、出力映像信号処理部５は、再生映像信号処理部４から入力されたコンポジット信号について、このコンポジット信号に含まれている同期信号のレベルを上げる。このとき、コンポジット信号に含まれている輝度信号等については再生映像信号処理部４から出力されたレベルに保持される。
【００４４】
映像出力装置１は、同期信号のレベルが最大レベルｂに達すると（ｓ１５）、所定時間経過するのを待って本体にセットされている記録媒体の再生を停止する（ｓ１７、ｓ１８）。
【００４５】
出力端子７に接続される一般的な記録装置や表示装置は、入力されたコンポジット信号について、このコンポジット信号に含まれている同期信号のレベルを予め定められたレベルに調整するＡＧＣ機能を備えており、このＡＧＣ機能で調整したコンポジット信号に基いて映像の記録や表示を行う。ＡＧＣ機能は、コンポジット信号に含まれている同期信号や輝度信号等、各種信号のレベルの比率を保持して、同期信号のレベルを調整する。
【００４６】
上述のように、映像出力装置１は、フェードアウト開始の入力があると、出力端子７から出力するコンポジット信号について、このコンポジット信号に含まれている同期信号のレベルを最適レベルａから最大レベルｂまで段階的に上げていく。これにより、出力端子７に接続された装置は、ＡＧＣ機能によりステップ時間ｔごとに輝度のレベルが段階的に下がっていく映像のコンポジット信号を生成する。したがって、フェードアウトされた映像の記録や表示が行える。
【００４７】
また、映像出力装置１から出力されている映像をフェードアウトするのは、多くの場合この映像の後ろに別の映像をつなぎ合わせるためであることから、ｓ１８で再生を停止しても特に問題は生じない。
【００４８】
また、フェードアウト時間については、ユーザが自由に設定できるので、フェードアウトされる映像における輝度の低下速度を自分の好みに応じて調整することができる。
【００４９】
次に、この実施形態の映像出力装置１におけるフェードイン処理について説明する。図６は、フェードイン処理を示すフローチャートである。
【００５０】
映像出力装置１は、操作部６またはリモコンに設けられたフェードイン開始キーが操作されたとき（フェードイン開始の入力があると）、このフェードイン処理を開始する。このフェードイン開始の入力がこの発明で言う第２の入力である。映像出力装置１は、まず制御部２に設けられているメモリに記憶しているフェードイン時間を読み出す（ｓ２１）。フェードイン時間は、上述のようにユーザが自由に設定できる。
【００５１】
映像出力装置１は、ｓ２１でメモリから読み出したフェードイン時間から、同期信号のレベル勾配を算出する（ｓ２２）。映像出力装置１は、上述のように同期信号の適正レベルａ、および最大レベルｂをメモリに記憶している。ｓ２２では、
レベル勾配＝（最大レベルｂ−適正レベルａ）／フェードイン時間
により、同期信号のレベル勾配を算出する。図７に示すように、フェードアウト時間が長くなるほど、レベル勾配が小さくなる。
【００５２】
映像出力装置１は、ｓ２２で上記レベル勾配を算出すると、予め設定されているステップ時間ｔに対する、同期信号のレベルの下げ幅を算出する（ｓ２３）。
【００５３】
なお、ステップ時間ｔは、上記フェードアウト処理におけるステップ時間ｔと同じであってもよいし、異なっていてもよい。
【００５４】
ｓ２３では、
同期信号のレベルの下げ幅＝ステップ時間ｔ×レベル勾配
により、同期信号のレベルの下げ幅を算出する。
【００５５】
映像出力装置１は、出力端子７から出力するコンポジット信号について、このコンポジット信号に含まれている同期信号のレベルを最大レベルｂにする（ｓ２４）。その後、ステップ時間ｔ毎にｓ２３で算出した同期信号のレベルの下げ幅ずつ小さくしていく（ｓ２５〜ｓ２７）（図８参照）。
【００５６】
なお、映像出力装置１は、フェードイン開始キーが操作されたときに、読取部３における記録媒体からの映像信号の読み取りを停止しているときには、このタイミングで読み取りを開始する（再生を開始する。）。
【００５７】
上記フェードアウト処理と同様に、出力映像信号処理部５が出力端子７から出力するコンポジット信号について同期信号のレベルを下げる処理を実行する。
【００５８】
映像出力装置１は、同期信号のレベルが適正レベルａに達すると（ｓ２５）、出力端子７から出力するコンポジット信号に含まれている同期信号のレベルを適正レベルに保持して再生を継続する（ｓ２８）。
【００５９】
このように、映像出力装置１は、フェードイン開始の入力があると、出力端子７から出力するコンポジット信号について、このコンポジット信号に含まれている同期信号のレベルを最大レベルｂから適正レベルａまで段階的に下げていく。これにより、出力端子７に接続された装置は、ＡＧＣ機能によりステップ時間ｔごとに輝度のレベルが段階的に上がっていく映像のコンポジット信号を生成する。したがって、フェードインされた映像の記録や表示が行える。
【００６０】
また、フェードイン時間については、ユーザが自由に設定できるので、フェードインされる映像における輝度の上昇速度を自分の好みに応じて調整することができる。
【００６１】
このように、この実施形態の映像出力装置１は、出力端子７から出力するコンポジット信号に含まれている同期信号のレベルを適正レベルａから最大レベルｂに徐々に上げていくという簡単な処理でフェードアウト機能を実現し、また、最大レベルｂから適正レベルａに徐々に下げていくという簡単な処理でフェードイン機能を実現している。したがって、元の映像信号について複雑な演算処理を行うための構成が不要であり、本体を安価に構成できる。
【００６２】
【発明の効果】
以上のように、この発明によれば、本体から出力するコンポジット信号に含まれている同期信号のレベルを徐々に上げていくことにより、フェードアウト機能を実現し、また同期信号のレベルを徐々に下げていくことにより、フェードイン機能を実現したので、本体の構成が簡単であり、本体のコストを安価にできる。
【図面の簡単な説明】
【図１】この発明の実施形態である映像出力装置の構成を示すブロック図である。
【図２】この発明の実施形態である映像出力装置におけるフェードアウト時間、およびフェードイン時間の変更処理を示すフローチャートである。
【図３】この発明の実施形態である映像出力装置のフェードアウト処理を示すフローチャートである。
【図４】フェードアウト時間と、レベル勾配との関係を示す図である。
【図５】この発明の実施形態である映像出力装置から出力されるコンポジット信号に含まれている同期信号のレベルの変化を示す図である。
【図６】この発明の実施形態である映像出力装置のフェードイン処理を示すフローチャートである。
【図７】フェードイン時間と、レベル勾配との関係を示す図である。
【図８】この発明の実施形態である映像出力装置から出力されるコンポジット信号に含まれている同期信号のレベルの変化を示す図である。
【符号の説明】
１−映像出力装置
２−制御部
３−読取部
４−再生映像信号処理部
５−出力映像信号処理部
６−操作部
７−出力端子
【図１】
2004228998.tif 000003
【図２】
2004228998.tif 000004
【図３】
2004228998.tif 000005
【図４】
2004228998.tif 000006
【図５】
2004228998.tif 000007
【図６】
2004228998.tif 000008
【図７】
2004228998.tif 000009
【図８】
2004228998.tif 000010